(57)【要約】【課題】  電子機器を雷サージから好適に保護する電子機器の絶縁装置を提供する。【解決手段】  雷サージが通流するブラケット１２とロードセル１３とを絶縁する電子機器の絶縁装置３０であって、ロードセル１３の荷重が作用する吊り下げ板３１と、吊り下げ板３１とブラケット１２との間に挟まれ、吊り下げ板３１とブラケット１２とを電気的に絶縁する絶縁体３２と、一部（基端部）がロードセル１３に固定され、ロードセル１３を吊り下げる吊り下げボルト３３とを備えた。【選択図】      図２
2006200986.tif 000002
【特許請求の範囲】
【請求項１】
雷サージが通流する雷サージ通流部と電子機器とを絶縁する電子機器の絶縁装置であって、
前記電子機器の荷重が作用する電子機器荷重作用部と、
当該電子機器荷重作用部と雷サージ通流部とに挟まれ、前記電子機器荷重作用部と前記雷サージ通流部とを電気的に絶縁する絶縁体と、
を備えたことを特徴とする電子機器の絶縁装置。
【請求項２】
一部が前記電子機器荷重作用部に固定され、前記電子機器を吊り下げる吊り下げ手段を、さらに備えたことを特徴とする請求項１に記載の電子機器の絶縁装置。
【発明の詳細な説明】
【技術分野】
【０００１】
本発明は、電子機器の絶縁装置に関する。
【背景技術】
【０００２】
従来より、落雷によって発生する雷サージによる電子機器や設備の破壊を防止するために、アレスタ（避雷器）や、耐雷トランスなどが製造・販売されている。雷サージとは、落雷により瞬間的に発生する過剰な電流、つまり、電気エネルギのことである。
【非特許文献１】アレスタとは、［平成１６年１２月１４日検索］、インターネット＜ＵＲＬ：http://www.otowadenki.co.jp/technology/technology-01.html＞
【非特許文献２】耐雷トランスとは、［平成１６年１２月１４日検索］、インターネット＜ＵＲＬ：http://www.otowadenki.co.jp/technology/technology-03.html＞
【発明の開示】
【発明が解決しようとする課題】
【０００３】
しかしながら、例えば、アスファルトプラントにおいて、骨材とアスファルトとを混合するパグミルミキサの上方で、ホットビンから計量槽に投入された骨材等を計量するためのロードセル（電子機器）は、一般に、アスファルトプラント本体（鉄骨櫓など）にブラケットなどを介して吊り下げられており、雷サージが、ブラケットを介してロードセルに通流する場合がある。そうすると、ロードセルが故障してしまい、ロードセルの修理費用がかかるだけでなく、アスファルトプラントの稼動も停止しなければならず、アスファルトプラントの稼働率が低下するという問題があった。
【０００４】
そこで、本発明は、電子機器を雷サージから好適に保護する電子機器の絶縁装置を提供することを課題とする。
【課題を解決するための手段】
【０００５】
前記課題を解決するための手段として、請求項１に係る発明は、雷サージが通流する雷サージ通流部と電子機器とを絶縁する電子機器の絶縁装置であって、前記電子機器の荷重が作用する電子機器荷重作用部と、当該電子機器荷重作用部と雷サージ通流部とに挟まれ、前記電子機器荷重作用部と前記雷サージ通流部とを電気的に絶縁する絶縁体と、を備えたことを特徴とする電子機器の絶縁装置である。
【０００６】
このような電子機器の絶縁装置によれば、絶縁体によって、雷サージ通流部と電子機器とは絶縁され、雷サージが、雷サージ通流部から電子機器に通流せず、電子機器の故障は防止される。
また、電子機器荷重作用部と雷サージ通流部とで、絶縁体を挟む構成としたため、絶縁体には圧縮応力が作用し、絶縁体が碍子などの引張強度の低いセラミックスで形成されても、絶縁体自体が破壊されることもない。
【０００７】
請求項２に係る発明は、一部（基端部）が前記電子機器荷重作用部に固定され、前記電子機器を吊り下げる吊り下げ手段を、さらに備えたことを特徴とする請求項１に記載の電子機器の絶縁装置である。
【０００８】
このような電子機器の絶縁装置によれば、吊り下げ手段により、電子機器を吊り下げることができる。言い換えると、吊り下げられた電子機器であっても、雷サージから好適に保護することができる。また、請求項１に係る発明と同様に、引張強度の低い絶縁体を使用することができる。
【発明の効果】
【０００９】
本発明によれば、電子機器を雷サージから好適に保護する電子機器の絶縁装置を提供することができる。
【発明を実施するための最良の形態】
【００１０】
以下、本発明の一実施形態について、図１および図２を適宜参照して説明する。参照する図面において、図１は、本実施形態に係るアスファルトプラントの構成を示す図である。図２は、本実施形態に係る電子機器の絶縁装置の斜視図である。
【００１１】
≪アスファルトプラントの構成≫
図１に示すように、本実施形態に係るアスファルトプラント１は、所望粒度の骨材とアスファルトとを混合して、アスファルト合材を製造・出荷するプラントである。アスファルトプラント１は、アスファルトプラント本体１１と、ロードセル１３（電子機器）と、計量槽１４と、温度センサ１５と、操作盤１６と、キュービクル１７と、避雷器１８、１９と、耐雷トランス２０と、電子機器の絶縁装置３０を主に備えている。
【００１２】
アスファルトプラント本体１１は、鉄骨などが組み付けられてなる鉄骨櫓であり、その所定位置に、金属製のブラケット１２（雷サージ通流部）が溶接・固定されている。したがって、例えば、アスファルトプラント本体１１に雷落した場合、ブラケット１２に雷サージが通流する。その他、アスファルトプラント本体１１の付近に落雷し、雷サージが、地面およびアスファルトプラント本体１１を介して、ブラケット１２に通流する場合もある。
なお、図１では、雷サージを白抜きの三角で、雷サージの移動方向を矢印で、それぞれ模式的に示している。
【００１３】
ロードセル１３は、電子機器の絶縁装置３０を介して、ブラケット１２に吊り下げられている。計量槽１４は、各ホットビンからパグミルミキサに投入する骨材を計量するための容器（図２参照）であり、上方が開口している。また、計量槽１４の数は、複数のホットビンに対して１基である。そして、この１基の計量槽１４に各ホットビンから骨材が投入され、ロードセル１３によって、各ホットビンから投入された骨材の質量が累積的に計量されるようになっている。
また、計量槽１４は、例えば、３基のロードセル１３で吊り下げられている。詳細には、ロードセル１３の鉛直下方の受感シャフト１３ｂの下端に、計量槽１４が固定されている。したがって、各ホットビンから骨材が計量槽１４に順次に投入されると、投入された骨材の質量に応じて、受感シャフト１３ｂを介し、ロードセル１３により、骨材の質量を感知するようになっている（図２、矢印Ａ１参照）。なお、ここでは説明を簡単とするため、１基のロードセル１３のみを描いている。
【００１４】
温度センサ１５は、アスファルトプラント本体１１に固定されており、例えば、製造されたアスファルト合材の温度を検出するセンサである。
【００１５】
操作盤１６は、アスファルトプラント１の稼動を制御するものである。
操作盤１６は、配線１３ａを介してロードセル１３に電気的に接続しており、各ホットビンから計量槽１４に投入された骨材の質量を監視可能となっている。そして、避雷器１８、１８が、配線１３ａ上であって、ロードセル１３と操作盤１６の近傍に、それぞれ設けられている。したがって、避雷器１８、１８間の配線１３ａから、ロードセル１３または操作盤１６側に、雷サージが流れないようになっている。
また、操作盤１６は、配線１５ａを介して温度センサ１５に電気的に接続しており、温度センサ１５が検出した温度を監視可能となっている。そして、避雷器１９、１９が、配線１５ａ上であって、温度センサ１５と操作盤１６の近傍に、ぞれぞれ設けられている。したがって、避雷器１９、１９の間の配線１５ａから、温度センサ１５または操作盤１６側に、雷サージが流れないようになっている。
さらに、操作盤１６は、配線１７ａを介してキュービクル１７に電気的に接続している。そして、耐雷トランス２０が、配線１７ａの中間位置に設けられている。なお、耐雷トランス２０は接地線２０ａを介して接地されている。したがって、キュービクル１７および接地側から、操作盤１６に雷サージが流れないようになっている。
【００１６】
＜電子機器の絶縁装置＞
次に、電子機器の絶縁装置３０について、図２を主に参照して説明する。
電子機器の絶縁装置３０は、吊り下げ板３１（電子機器荷重作用部）と、４つの絶縁体３２と、吊り下げボルト３３（吊り下げ手段、吊り下げ部材（棒））とを主に備えている。
【００１７】
４つの絶縁体３２は、例えば碍子などのセラミックスや、コンクリートから形成され、電気的な絶縁性を有している。各絶縁体３２の外形は円柱体であり、４つ絶縁体３２は、略水平面方向に配置するブラケット１２の上面に、平面視で正四角形の略四隅に配置している。
【００１８】
吊り下げ板３１は、このように並んだ４つの絶縁体３２の上に配置している。すなわち、４つの絶縁体３２は、上側の吊り下げ板３１と、下側のブラケット１２とで挟まれている。したがって、ブラケット１２と吊り下げ板３１とは、電気的に絶縁している。これにより、アスファルトプラント本体１１からブラケット１２に通流した雷サージが、吊り下げ板３１に流れないようになっている。よって、アスファルトプラント本体１１からロードセル１３に雷サージが流れず、吊り下げボルト３３で吊り下げられたロードセル１３の故障が防止されるようになっている。
【００１９】
また、各絶縁体３２は、吊り下げ板３１の上側からのボルト３２Ａと、ブラケット１２の下側からのボルト３２Ｂとによって固定されている。したがって、各絶縁体３２が、水平面方向において位置ずれしないようになっている。これにより、ブラケット１２と吊り下げ板３１との電気的絶縁状態は、長期的に確保されるようになっている。
【００２０】
吊り下げボルト３３は、吊り下げ板３１に形成された貫通孔（図示しない）と、ブラケット１２の貫通孔１２ａに挿通され、その下端部はロードセル１３に固定されている。なお、吊り下げボルト３３のボルト頭（基端部）は、ワッシャ（座金）を介して、吊り下げ板３１に係止されている。すなわち、吊り下げボルト３３のボルト頭は吊り下げ板３１に固定されており、吊り下げボルト３３は、ロードセル１３を吊り下げている。よって、吊り下げ板３１には、常にロードセル１３の荷重が作用している。また、ブラケット１２の貫通孔１２ａは、吊り下げボルト３３及び後記する非常用吊り下げボルト３４が接触しない大きさに設定されている。
【００２１】
したがって、計量槽１４にホットビンから骨材が投入されると、ロードセル１３の受感シャフト１３ｂを介して、ロードセル１３内のひずみゲージが矢印Ａ１の向きに引っ張られ、吊り下げボルト３３に引張応力が作用する共に、各絶縁体３２に圧縮応力が作用する。
【００２２】
ここで、吊り下げボルト３３は、一般に、ステンレスなどの金属製であるため、前記引張応力によって、吊り下げボルト３３自体が破断することはない。
【００２３】
また、各絶縁体３２が、例えば碍子などの引張強度の低いセラミックスから形成されたとしても、各絶縁体３２には圧縮応力が作用するため、各絶縁体３２に引張応力が作用する場合に比較して、破壊しにくくなっている。すなわち、吊り下げ板３１を設けずに、ロードセル１３が吊り下げ部材を介してブラケット１２に直接的に吊り下げ、前記吊り下げ部材の途中に絶縁体を介在させた場合、この絶縁体には引張応力が作用し、絶縁体が破断する可能性が高くなる。
これに対して、本実施形態に係る電子機器の絶縁装置３０では、ブラケット１２と吊り下げ板３１とで各絶縁体３２を挟み、各絶縁体３２に圧縮応力が作用する構成としたため、絶縁体３２が破壊されにくくなる。その結果として、電子機器の絶縁装置３０の耐久性は飛躍的に高くなっている。よって、各絶縁体３２を小さくすることもでき、電子機器の絶縁装置３０を省スペース化することも可能となる。
【００２４】
その他、非常用吊り下げボルト３４が、吊り下げ板３１から吊り下げられている。さらに説明すると、非常用吊り下げボルト３４は、吊り下げ板３１の貫通孔３１ａを通っている。非常用吊り下げボルト３４の上端には吊り下げ用ナット３４ａが取り付けられており、吊り下げ用ナット３４ａの外径は貫通孔３１ａの内径より大きい。そして、吊り下げ用ナット３４ａが吊り下げ板３１の上面に係止することで、非常用吊り下げボルト３４が吊り下げ板にぶら下がっている。
そして、非常用吊り下げボルト３４は、鉛直下方に向かって順に、ブラケット１２の貫通孔１２ａと、計量槽１４に固定された計量槽落下防止部材３５の貫通孔３５ａとを通っている。非常用吊り下げボルト３４の下端には、落下防止用ナット３４ｂが取り付けられており、落下防止用ナット３４ｂの外径は貫通孔３５ｂの内径より大きく設定されている。
なお、非常用吊り下げボルト３４が挿通した貫通孔３１ａ、貫通孔１２ａ、貫通孔３５ａの内径は、非常用吊り下げボルト３４の直径より大きい。すなわち、非常用吊り下げボルト３４は、貫通孔３１ａ、貫通孔１２ａ、貫通孔３５ａに遊挿されており、ロードセル１３が感知する骨材の計量値に影響しないようになっている。
【００２５】
そして、何らかの原因により、例えば吊り下げボルト３３が破断した場合（この場合を非常時という）、計量槽落下防止部材３５が落下防止用ナット３４ｂに係止し、計量槽１４がその下方に配置するパグミルミキサに落下することが防止されるようになっている。つまり、非常時において、計量槽１４は、計量槽落下防止部材３５と落下防止用ナット３４ｂとの間のクリアランス分だけ落下する。
すなわち、本実施形態に係るアスファルトプラント１は、非常時において、計量槽１４の落下を防止する計量槽落下防止手段を備えている。そして、計量槽落下防止手段は、非常用吊り下げボルト３４と、計量槽落下防止部材３５と、を主に備えて構成されている。
【００２６】
このように本実施形態に係る電子機器の絶縁装置３０によれば、ブラケット１２（雷サージ通流部）と吊り下げ板３１（電子機器荷重作用部）とで絶縁体３２を挟む構成としたため、アスファルトプラント本体１１からブラケット１２を介して、雷サージがロードセル１３に流れない。したがって、ロードセル１３は、雷サージから好適に保護され、ロードセル１３の故障により、アスファルトプラント１の稼働率が低下することもない。
また、吊り下げボルト３３で吊り下げ板３１からロードセル１３を吊り下げ、絶縁体３２に圧縮応力が作用する構成としたため、絶縁体３２が破壊されにくくなり、電子機器の絶縁装置３０は長寿命化される。
【００２７】
以上、本発明の好適な一実施形態について説明したが、本発明は実施形態に限定されず、本発明の趣旨を逸脱しない範囲で、例えば以下のような変更が可能である。
【００２８】
前記した実施形態では、電子機器の絶縁装置３０はブラケット１２より下方のロードセル１３を吊り下げる構成としたが、これに限定されず、例えば、図３に示すように、上方のロードセル１３を下方より支持する電子機器の絶縁装置４０であってもよい。
【００２９】
図３に示すように、電子機器の絶縁装置４０は、複数の絶縁体４２…と、支持板４３（電子機器荷重作用部）とを主に備えている。複数の絶縁体４２…は、前記実施形態と同様に、ブラケット１２（雷サージ通流部）上に配置されている。支持板４３は、複数の絶縁体４２…の上に載せられており、ブラケット１２と支持板４３とは、電気的に絶縁している。また、複数の絶縁体４２…は、ボルト４２Ａ、ボルト４２Ｂによって、水平面方向において位置ずれしないようになっている。
ロードセル１３は、支持板４３上に固定されており、ロードセル１３の鉛直上方の受感シャフト１３ｂの上端には、計量槽１４が固定されている。したがって、計量槽１４に各ホットビンから骨材が投入されると、受感シャフト１３ｂを介してロードセル１３内のひずみゲージが矢印Ａ２の向きに圧縮し、骨材が計量される。これと共に、複数の絶縁体４２…に圧縮応力が作用するようになっている。
【００３０】
前記した実施形態では、吊り下げボルト３３でロードセル１３を吊り下げる構成としたが、ロードセル１３を吊り下げず、図３に示すようにロードセル１３を下方から直接支持する構成としてもよい。その他に例えば、図３に示す支持板４３に貫通孔を形成し、ロードセル１３を上下逆向きにして支持板４３に固定すると共に、受感シャフト１３ｂを支持板４３の前記貫通孔およびブラケット１２の貫通孔１２ａに挿通し、受感シャフト１３ｂの下端に計量槽１４を固定する構成としてもよい。
【００３１】
前記した実施形態では、電子機器の絶縁装置３０をアスファルトプラント１に適用した場合について説明したが、適用対象はこれに限定されず、その他のプラント、設備などであってもよい。
【００３２】
前記した実施形態では、ブラケット１２と吊り下げ板３１とで、平面視で正四角形の四隅に配置された４つの絶縁体３２を挟む構成としたが、ブラケット１２と吊り下げ板３１を絶縁可能であれば、絶縁体３２の数・配置はこれに限定されない。例えば、リング状の絶縁体を使用し、この絶縁体の中空部がブラケット１２の貫通孔１２ａと対応するようにリング状の絶縁体を配置してもよい。
【００３３】
前記した実施形態では、電子機器をロードセル１３とした場合について説明したが、雷サージから保護する電子機器の種類はこれに限定されず、その他の電子機器であってもよい。
【図面の簡単な説明】
【００３４】
【図１】本実施形態に係るアスファルトプラントの構成を示す図である。
【図２】本実施形態に係る電子機器の絶縁装置の斜視図である。
【図３】変形例に係る電子機器の絶縁装置の側面図である。
【符号の説明】
【００３５】
１      アスファルトプラント
１１    アスファルトプラント本体
１２    ブラケット（雷サージ通流部）
１３    ロードセル（電子機器）
３０、４０  電子機器の絶縁装置
３１    吊り下げ板（電子機器荷重作用部）
３２、４２  絶縁体
３３    吊り下げボルト（吊り下げ手段）
４３    支持板（電子機器荷重作用部）
【図１】
2006200986.tif 000003
【図２】
2006200986.tif 000004
【図３】
2006200986.tif 000005